(57)【要約】【課題】投映指示により投映対象として好ましい画像の投映を行うことができる電子機器を提供する。【解決手段】投映部３８と、表示部２２と、前記投映部による投映の指示を行う操作部材と、前記操作部材が操作された場合、前記表示部に表示されている画像が所定の画像であるか否かを判定する判定部２５と、前記判定部により、前記所定の画像であると判定された場合に、前記投映部において前記所定の画像に対して予め設定されている代表画像の投映を行う投映制御部２５とを備える。【選択図】図３
2011039500.tif 000002
【特許請求の範囲】
【請求項１】
投映部と、
表示部と、
前記投映部による投映の指示を行う操作部材と、
前記操作部材が操作された場合、前記表示部に表示されている画像が所定の画像であるか否かを判定する判定部と、
前記判定部により、前記所定の画像であると判定された場合に、前記投映部において前記所定の画像に対して予め設定されている代表画像の投映を行う投映制御部と
を備えることを特徴とする電子機器。
【請求項２】
前記所定の画像がサムネイル画像を含む画像である場合、前記代表画像は、カーソルが表示されている前記サムネイル画像であることを特徴とする請求項１記載の電子機器。
【請求項３】
前記所定の画像がフォルダを含む画像である場合、前記代表画像は、カーソルが表示されている前記フォルダ内の予め設定された画像であることを特徴とする請求項１記載の電子機器。
【請求項４】
前記予め設定された画像は、最近記録画像、操作者により予め選択された画像及び投映頻度の最も高い画像の中の一つであることを特徴とする請求項３記載の電子機器。
【請求項５】
前記フォルダ内に画像が存在しない場合、前記操作部材の操作を不可とすることを特徴とする請求項３記載の電子機器。
【請求項６】
前記所定の画像がメニュー画面の画像である場合、前記代表画像は、前記メニュー画面に対して予め設定された画像であることを特徴とする請求項１記載の電子機器。
【請求項７】
前記予め設定された画像が複数存在する場合には、最新設定画像、操作者により予め選択された画像及び投映頻度の最も高い画像の中の一つを前記代表画像とすることを特徴とする請求項６記載の電子機器。
【請求項８】
被写体を撮像する撮像部を更に備えることを特徴とする請求項１〜７の何れか一項に記載の電子機器。
【発明の詳細な説明】
【技術分野】
【０００１】
本発明は、電子機器に関するものである。
【背景技術】
【０００２】
プロジェクタを備えた電子機器が知られている（例えば、特許文献１参照）。
【先行技術文献】
【特許文献】
【０００３】
【特許文献１】特開２００５−２５０３９２号公報
【発明の概要】
【発明が解決しようとする課題】
【０００４】
ところで、プロジェクタを備えた電子機器においては、投映指示が行われた際に投映画像を確認するための表示部に表示されている画像を投映することが一般であるため、投映画像として好ましくない画像の投映が行われることがあった。
【０００５】
本発明の目的は、投映指示により投映対象として好ましい画像の投映を行うことができる電子機器を提供することである。
【課題を解決するための手段】
【０００６】
本発明の電子機器は、投映部と、表示部と、前記投映部による投映の指示を行う操作部材と、前記操作部材が操作された場合、前記表示部に表示されている画像が所定の画像であるか否かを判定する判定部と、前記判定部により、前記所定の画像であると判定された場合に、前記投映部において前記所定の画像に対して予め設定されている代表画像の投映を行う投映制御部とを備えることを特徴とする。
【発明の効果】
【０００７】
本発明の電子機器によれば、投映指示により投映対象として好ましい画像の投映を行うことができる。
【図面の簡単な説明】
【０００８】
【図１】実施の形態に係るデジタルカメラの前面を示す斜視図である。
【図２】実施の形態に係るデジタルカメラの背面を示す図である。
【図３】実施の形態に係るデジタルカメラのシステム構成を示すブロック図である。
【図４】実施の形態に係るデジタルカメラのＬＣＤ表示部の表示を示す図である。
【図５】実施の形態に係るデジタルカメラのＬＣＤ表示部の表示を示す図である。
【図６】実施の形態に係るデジタルカメラのＬＣＤ表示部の表示を示す図である。
【図７】実施の形態に係るデジタルカメラのＬＣＤ表示部の表示を示す図である。
【図８】実施の形態に係るデジタルカメラの処理を示すフローチャートである。
【図９】実施の形態に係るデジタルカメラの処理を示すフローチャートである。
【図１０】実施の形態に係るデジタルカメラの処理を示すフローチャートである。
【発明を実施するための形態】
【０００９】
以下、図面を参照して本発明の実施の形態に係る電子機器について投映ユニットを備えたデジタルカメラを例に説明する。図１は、実施の形態に係るデジタルカメラの前面を示す斜視図である。デジタルカメラ２は、筐体４を備え、筐体４の前面には、被写体光を入射させる撮像窓１０、画像を投映する投映窓１２、被写体を照射する光を射出するフラッシュ窓１４が設けられている。また、筐体４の上面には、電源スイッチ１６、レリーズ指示を行うレリーズボタン１８、被写体光の撮像を行う撮像モードと画像の投映を行う投映モードを切換える操作部材であるＰＪボタン２０が設けられている。
【００１０】
図２は、実施の形態に係るデジタルカメラの背面を示す図である。筐体４の背面には、撮像された画像、サムネイル一覧画面、お気に入り再生画面、カレンダー表示画面、メニュー画面等を表示するＬＣＤ表示部２１、再生モードを設定する再生ボタン２２、ＬＣＤ表示部２１に表示されたサムネイル一覧画面等において画像の選択等を行うマルチセレクタ２３、メニュー画面の表示を指示するメニューボタン２４等が設けられている。
【００１１】
図３は、実施の形態に係るデジタルカメラのシステム構成を示すブロック図である。デジタルカメラ２は、ＣＰＵ２５を備え、ＣＰＵ２５には、電源スイッチ１６、レリーズボタン１８、ＰＪボタン２０、再生ボタン２２、マルチセレクタ２３、メニューボタン２４等を備える操作部２６、ＬＣＤ表示部２１の表示を制御する表示制御部２８、撮影レンズを介した被写体光を撮像して撮像信号を生成するＣＭＯＳ、ＣＣＤ等により構成される撮像素子３０、撮像素子３０から出力された撮像信号を図示しないＡ／Ｄ変換部においてＡ／Ｄ変換することにより生成された画像データを記憶する画像記憶部３２、撮像、投映等に関する設定、制御を行うためのプログラムを格納するプログラム記憶部３４、撮像された画像データ等を記憶するメモリカード３６、画像記憶部３２やメモリカード３６に記憶された画像データに基づく画像を投映する投映ユニット３８が接続されている。ここで、投映ユニット３８は、光源であるＬＥＤ４６の点灯及び消灯を行う電源制御部４８、投映する画像を表示するＬＣＯＳ５０の表示制御を行う投映制御部５２を備えている。
【００１２】
次に、図面を参照して実施の形態に係るデジタルカメラにおいて、ＬＣＤ表示部２１に表示される画面ついて説明する。図４はサムネイル一覧再生画面６０を示す図である。サムネイル一覧再生画面６０は、メモリカード３６に記憶されている画像データを複数のサムネイル画像として一覧表示する画面であり、再生ボタン２２の操作により再生モードを設定した後、図示しないサムネイル表示を指示するためのボタンを操作することによりＬＣＤ表示部２１に表示される。操作者はマルチセレクタ２３等を操作してカーソルを移動させることによりサムネイル画像一覧の中から所望の画像を選択する。
【００１３】
図５はお気に入り再生画面７０を示す図である。お気に入り再生画面７０は、画像データを記憶する複数のフォルダを一覧表示する画面であり、再生ボタン２２の操作により再生モードを設定した後、図示しないお気に入り再生を指示するためのボタンを操作することによりＬＣＤ表示部２１に表示される。操作者はマルチセレクタ２３等を操作してカーソルを移動させることによりフォルダ一覧の中から所望のフォルダを選択する。フォルダを選択すると、選択されたフォルダ内の画像データが複数のサムネイル画像として一覧表示され、操作者はカーソルを移動させることにより所望の画像を選択する。
【００１４】
図６はカレンダー表示画面８０を示す図である。カレンダー表示画面８０は、画像データを記憶するフォルダを構成する日付８２とカーソルにより選択された日付８２に対応して記憶されている画像の中で最初に撮像された画像である代表画像のサムネイル画像８４から構成される画面である。操作者が再生ボタン２２を操作することにより再生モードを設定した後、図示しないカレンダー表示を指示するためのボタンを操作することによりＬＣＤ表示部２１に表示される。操作者はマルチセレクタ２３等を操作してカーソルを移動させることにより所望の日付８２を選択する。日付８２を選択すると、選択された日付８２に対応して記憶されている画像データに付加されて記憶されているサムネイル画像データがそれぞれ読み出され、複数のサムネイル画像として一覧表示される。操作者はカーソルを移動させることにより所望の画像を選択する。
【００１５】
図７はお気に入り登録画面９０を示す図である。お気に入り登録画面９０は、所望の画像データを登録・解除する場合に表示されるメニュー画面の一つである。図７に示すように警告及びメニューは背景画像の上に表示される。
【００１６】
次に、図８に示すフローチャートを参照して実施の形態に係るデジタルカメラにおける処理について説明する。再生ボタン２２の操作により再生モードが設定され、図示しないサムネイル表示を指示するためのボタンが操作されると、ＣＰＵ２５は、メモリカード３６に記憶された画像データ（この場合には５個の画像データがメモリカード３６に記憶されているものとする。）に付加されて記憶されているサムネイル画像データをそれぞれ読み出し、図４に示すサムネイル一覧再生画面６０をＬＣＤ表示部２１に表示する（ステップＳ１１）。なお、この場合には、最初に表示されているサムネイル画像がカーソルにより選択されているものとする。次に、サムネイル一覧再生画面６０がＬＣＤ表示部２１に表示された状態でＰＪボタン２０が押下されると（ステップＳ１３）、撮像モードから投映モードに切換えられ、メモリカード３６から投映する画像の画像データ、即ち、サムネイル画像一覧の中からカーソルにより選択されたサムネイル画像が付加されている画像の画像データが読み出される（ステップＳ１５）。次に、ＣＰＵ２５は投映ユニット３８に投映開始の指示を行い、電源制御部４８はＬＥＤ４６を点灯する。そして、投映制御部５２は、メモリカード３６から読み出した画像データをＬＣＯＳ５０に表示し、投映画像の投映を行う（ステップＳ１７）。
【００１７】
次に、図９に示すフローチャートを参照して実施の形態に係るデジタルカメラにおける処理について説明する。再生ボタン２２の操作により再生モードが設定され、図示しないお気に入り再生を指示するためのボタンが操作されると、ＣＰＵ２５は、ＬＣＤ表示部２１に図５に示すお気に入り再生画面７０を表示する。また、各フォルダのフォルダ内で最初に撮像された画像のサムネイル画像データをメモリカード３６から読み出して、サムネイル画像を各フォルダ上に表示する（ステップＳ２１）。この場合には最初に表示されているフォルダがカーソルにより選択されているものとする。次に、お気に入り再生画面７０がＬＣＤ表示部２１に表示された状態でＰＪボタン２０が押下されると（ステップＳ２３）、撮像モードから投映モードに切換えられ、投映する画像の画像データが読み出される（ステップＳ２５）。例えば、図５のお気に入り再生画面７０には０１〜０９までの９つのフォルダが表示されており、「フォルダ０１」がカーソルにより選択されている。この場合、ＣＰＵ２５は、「フォルダ０１」上に表示されているサムネイル画像が付加されている画像の画像データをメモリカード３６から読み出す（ステップＳ２５）。そして、ＣＰＵ２５は、投映ユニット３８により読み出された画像データに基づく画像の投映を行う（ステップＳ２７）。
【００１８】
次に、図１０に示すフローチャートを参照して実施の形態に係るデジタルカメラにおける処理について説明する。再生ボタン２２の操作により再生モードが設定され、図示しないカレンダー表示を指示するためのボタンが操作されると、ＣＰＵ２５は、ＬＣＤ表示部２１に図６に示すカレンダー表示画面８０を表示し、カーソルにより選択された日付８２において最初に撮像された画像の画像データに付加されているサムネイル画像データをメモリカード３６から読み出して、代表画像のサムネイル画像８４としてカレンダー表示画面８０上に表示する（ステップＳ３１）。次に、カレンダー表示画面８０がＬＣＤ表示部２１に表示された状態でＰＪボタン２０が押下されると（ステップＳ３３）、撮像モードから投映モードに切換えられ、代表画像の画像データが読み出される（ステップＳ３５）。そして、ＣＰＵ２５は、投映ユニット３８により代表画像の投映を行う（ステップＳ３７）。
【００１９】
また、上述の実施の形態において、再生ボタン２２の操作により再生モードが設定され、図示しないお気に入り登録を指示するためのボタンが操作されることにより図７に示すお気に入り登録画面９０がＬＣＤ表示部２１された状態でＰＪボタン２０が押下されると、ＣＰＵ２５は、背景に表示されている画像の画像データをメモリカード３６から読み出し、投映ユニット３８により背景に表示されている画像の投映を行う。
【００２０】
本実施の形態に係るデジタルカメラ２によれば、ＬＣＤ表示部２１においてどのような画面表示が行われている場合においても、投映指示により投映対象として好ましい画像の投映を行うことができる。
【００２１】
なお、上述の実施の形態において、メニューボタン２４が操作されることにより図示しないメニュー画面がＬＣＤ表示部２１に表示された状態でＰＪボタン２０が押下された場合には、ＣＰＵ２５は、メモリカード３６からメニュー画面が表示される直前にＬＣＤ表示部２１に表示されていた画像の画像データを読み出し、投映ユニット３８によりこの画像の投映を行うようにしてもよい。
【００２２】
また、上述の実施の形態において、ＬＣＤ表示部２１にお気に入り再生画面７０が表示された状態でカーソルを移動してフォルダを選択し、ＰＪボタン２０を押下した場合、選択したフォルダに画像データが記憶されていない場合は、ＰＪボタン２０を押下しても投映モードに移行せず、投映ユニット３８による投映を行わないようにしてもよい。
【００２３】
また、上述の実施の形態において、ＬＣＤ表示部２１にカレンダー表示画面８０が表示された状態でカーソルを移動して日付８２を選択し、ＰＪボタン２０を押下した場合、選択した日付８２に対応して画像データが記憶されていない場合は、ＰＪボタン２０を押下しても投映モードに移行せず、投映ユニット３８による投映を行わないようにしてもよい。
【００２４】
また、上述の実施の形態においては、ＬＣＤ表示部２１にお気に入り再生画面７０が表示された状態でカーソルを移動してフォルダを選択し、ＰＪボタン２０を押下した場合、「フォルダ０１」内において最初に撮像された画像の画像データを読み出して投映しているが、操作者により予め選択された画像や投映頻度の最も高い画像を読み出して投映するようにしてもよい。
【００２５】
また、上述の実施の形態においては、ＬＣＤ表示部２１にカレンダー表示画面８０が表示された状態でカーソルを移動して日付８２を選択し、ＰＪボタン２０を押下した場合、サムネイル表示されている画像を代表画像として、その画像の画像データを読み出して投映しているが、カーソルにより選択された日付８２に対応して記憶されている画像の中から直近に撮像された画像の画像データを代表画像として読み出すようにしてもよい。また、カーソルにより選択されたカレンダーの日付８２に対応して記憶されている画像の中から操作者により予め選択された画像、投映頻度の最も高い画像を代表画像として読み出すようにしてもよい。
【００２６】
また、上述した代表画像や最初に投映する画像として、複数の画像の中から平坦な領域が狭い画像や細かい構造が多い画像を自動的に選択するようにしてもよい。これにより、投映時にプロジェクタの光学系で生じる投映画像の縦筋等のノイズを目立たなくすることができる。
【００２７】
また、上述の各実施の形態においては、電子機器として撮像機能を有するデジタルカメラ２を例に説明したが、撮像機能を備えていないプロジェクタにおいても本発明を適用することができる。
【符号の説明】
【００２８】
２…デジタルカメラ、４…筐体、１０…撮像窓、１２…投映窓、１４…フラッシュ窓、１６…電源スイッチ、１８…レリーズボタン、２０…ＰＪボタン。
【図１】
2011039500.tif 000003
【図２】
2011039500.tif 000004
【図３】
2011039500.tif 000005
【図４】
2011039500.tif 000006
【図５】
2011039500.tif 000007
【図６】
2011039500.tif 000008
【図７】
2011039500.tif 000009
【図８】
2011039500.tif 000010
【図９】
2011039500.tif 000011
【図１０】
2011039500.tif 000012